(57)【要約】【課題】本発明の課題は、機密情報の露出を防いで、確実に手書き情報を登録するＯＣＲ帳票登録システムを提供することである。【解決手段】ＯＣＲ帳票の２次元コードを撮像して、接続許可ＩＤを含む所在情報を復号して、これに利用者携帯端末ＩＤを加えて、送信して、次に、ＯＣＲ帳票を撮像して、送信する利用者携帯端末装置と、前記所在情報を受信して、接続許可ＩＤと利用者携帯端末ＩＤを取り出して、これに対応する利用者ＩＤを、接続許可ＩＤと利用者携帯端末ＩＤとに対応させた利用者ＩＤを有する対応表を参照して、選択して、認証して、次に、撮像したＯＣＲ帳票を受信して、ＯＣＲ文字データを作成して、前記認証された利用者ＩＤと前記ＯＣＲ文字データを受け付けるＯＣＲ受付サーバ装置とがネットワーク接続されて構成される、２次元コードを備えたＯＣＲ帳票入力システムである。【選択図】図１
2007282074.tif 000002
【特許請求の範囲】
【請求項１】
２次元コードとＯＣＲ欄とを有する印刷媒体を用いる２次元コードを備えたＯＣＲ帳票入力システムであって、
カメラを備える利用者携帯端末装置とＯＣＲ受付サーバ装置とがネットワークで接続されて構成される２次元コードを備えたＯＣＲ帳票入力システムであって、
前記利用者携帯端末装置は、
２次元コードを撮像して、２次元コード画像データを所定の記憶領域に保持する撮像手段と、
前記所定の記憶領域に保持された２次元コード画像データを読み出して、接続許可識別情報を含む所在情報を復号する２次元コード復号手段と、
前記復号した所在情報と、利用者携帯端末装置の識別情報と、から、情報付加した所在情報を作成する端末装置情報付加手段と、
前記情報付加した所在情報を送信する所在情報送信手段と、
印刷媒体のＯＣＲ欄を撮像して、帳票画像データを所定の記憶領域に保持する撮像手段と、
前記所定の記憶領域に保持された帳票画像データを読み出して、ＯＣＲ画像データを作成するＯＣＲ画像作成手段と、
前記ＯＣＲ画像データを送信するＯＣＲ画像送信手段と、
を備える端末装置であって、
前記ＯＣＲ受付サーバ装置は、
接続許可識別情報と利用者携帯端末装置の識別情報とに対応付けられた利用者識別情報を有する対応表を記憶する記憶手段と、
前記利用者携帯端末装置より送信された所在情報を受信する所在情報受信手段と
前記受信した所在情報から、接続許可識別情報と利用者携帯端末装置の識別情報を取り出して、前記対応表を参照して、これに対応する利用者識別情報を選択して、認証する利用者認証手段と、
ＯＣＲ画像データを受信するＯＣＲ画像受信手段と、
前記受信したＯＣＲ画像データを文字認識して、ＯＣＲ文字データを作成する文字認識手段と、
前記認証された利用者識別情報と前記ＯＣＲ文字データを受け付けるＯＣＲ受付手段と、
を備えるサーバ装置である、
ことを特徴とする２次元コードを備えたＯＣＲ帳票入力システム。
【請求項２】
２次元コードとＯＣＲ欄とを有する印刷媒体と、接続許可識別情報と利用者携帯端末装置の識別情報とに対応付けられた利用者識別情報を有する対応表を用いる２次元コードを備えたＯＣＲ帳票入力方法であって、
２次元コードを撮像して、接続許可識別情報を含む所在情報を復号する２次元コード復号ステップと、
前記復号した所在情報と、利用者携帯端末装置の識別情報と、から、情報付加した所在情報を作成する端末装置情報付加ステップと、
前記情報付加した所在情報から、接続許可識別情報と利用者携帯端末装置の識別情報を取り出して、対応表を参照して、これに対応する利用者識別情報を選択して、認証する利用者認証ステップと、
印刷媒体のＯＣＲ欄を撮像して、ＯＣＲ画像データを作成するＯＣＲ画像作成ステップと、
前記ＯＣＲ画像データを文字認識して、ＯＣＲ文字データを作成する文字認識ステップと、
前記認証された利用者識別情報と前記ＯＣＲ文字データを受け付けるＯＣＲ受付ステップと、
を含んだ手順でなされることを特徴とする２次元コードを備えたＯＣＲ帳票入力方法。
【請求項３】
コンピュータに組込むことによって、コンピュータを請求項１に記載の２次元コードを備えたＯＣＲ帳票入力システムとして動作させるコンピュータプログラム。
【請求項４】
請求項３に記載のコンピュータプログラムを記録したコンピュータ読取り可能な記録媒体。
【発明の詳細な説明】
【技術分野】
【０００１】
本発明は、カメラ付携帯情報端末装置（たとえば、携帯電話）を用いて、２次元コードを有するＯＣＲ帳票の記入情報を登録するシステム、および、その方法に関するものである。
【０００２】
従来から、ＯＣＲ帳票を用いて、各種の情報の登録が行われている。さらには、遠隔地から、ファクシミリを用いて、ＯＣＲ帳票を送信して、帳票に記入した情報の登録が行われている。
【背景技術】
【０００３】
たとえば、特許文献１では、カタログ販売に於いて、登録されている顧客が所定の情報を記入した注文専用伝票を、ファクシミリで受信して、注文専用伝票に記載された所定の情報を、ＯＣＲ処理して、注文データを生成する技術が開示されている。（従来技術１）
【特許文献１】特開平５−１８９４６５号公報（３〜４ページ、図１、２、５）
【発明の開示】
【発明が解決しようとする課題】
【０００４】
ところで、従来技術１では、顧客の個人情報（顧客氏名や顧客番号）が、無防備でむき出し状態になり、情報漏えいし易いという問題点があった。また、ファクシミリ送信先の電話番号が誤っていると、相手に届かないという欠点があるばかりでなく、不都合な相手に、ファクシミリが送信される可能性があるという不具合があった。
【０００５】
本発明はこのような従来技術を考慮してなされたものであって、本発明の課題は、機密情報の露出を防いで、確実に手書き情報を登録するＯＣＲ帳票登録システム、および、その方法を提供することである。
【課題を解決するための手段】
【０００６】
本発明は、以下のような解決手段により、前記課題を解決する。すなわち、請求項１の発明は、２次元コードとＯＣＲ欄とを有する印刷媒体を用いる２次元コードを備えたＯＣＲ帳票入力システムであって、カメラを備える利用者携帯端末装置とＯＣＲ受付サーバ装置とがネットワークで接続されて構成される２次元コードを備えたＯＣＲ帳票入力システムであって、前記利用者携帯端末装置は、２次元コードを撮像して、２次元コード画像データを所定の記憶領域に保持する撮像手段と、前記所定の記憶領域に保持された２次元コード画像データを読み出して、接続許可識別情報を含む所在情報を復号する２次元コード復号手段と、前記復号した所在情報と、利用者携帯端末装置の識別情報と、から、情報付加した所在情報を作成する端末装置情報付加手段と、前記情報付加した所在情報を送信する所在情報送信手段と、印刷媒体のＯＣＲ欄を撮像して、帳票画像データを所定の記憶領域に保持する撮像手段と、前記所定の記憶領域に保持された帳票画像データを読み出して、ＯＣＲ画像データを作成するＯＣＲ画像作成手段と、前記ＯＣＲ画像データを送信するＯＣＲ画像送信手段と、を備える端末装置であって、前記ＯＣＲ受付サーバ装置は、接続許可識別情報と利用者携帯端末装置の識別情報とに対応付けられた利用者識別情報を有する対応表を記憶する記憶手段と、前記利用者携帯端末装置より送信された所在情報を受信する所在情報受信手段と、前記受信した所在情報から、接続許可識別情報と利用者携帯端末装置の識別情報を取り出して、前記対応表を参照して、これに対応する利用者識別情報を選択して、認証する利用者認証手段と、ＯＣＲ画像データを受信するＯＣＲ画像受信手段と、前記受信したＯＣＲ画像データを文字認識して、ＯＣＲ文字データを作成する文字認識手段と、前記認証された利用者識別情報と前記ＯＣＲ文字データを受け付けるＯＣＲ受付手段と、を備えるサーバ装置である、ことを特徴とする２次元コードを備えたＯＣＲ帳票入力システムである。
【０００７】
ここで、情報を送信する宛先の情報は、２次元コードを復号したものを用いるので、正しい宛先にＯＣＲ画像を送信することができる。
【０００８】
請求項２の発明は、２次元コードとＯＣＲ欄とを有する印刷媒体と、接続許可識別情報と利用者携帯端末装置の識別情報とに対応付けられた利用者識別情報を有する対応表を用いる２次元コードを備えたＯＣＲ帳票入力方法であって、２次元コードを撮像して、接続許可識別情報を含む所在情報を復号する２次元コード復号ステップと、前記復号した所在情報と、利用者携帯端末装置の識別情報と、から、情報付加した所在情報を作成する端末装置情報付加ステップと、前記情報付加した所在情報から、接続許可識別情報と利用者携帯端末装置の識別情報を取り出して、対応表を参照して、これに対応する利用者識別情報を選択して、認証する利用者認証ステップと、印刷媒体のＯＣＲ欄を撮像して、ＯＣＲ画像データを作成するＯＣＲ画像作成ステップと、前記ＯＣＲ画像データを文字認識して、ＯＣＲ文字データを作成する文字認識ステップと、前記認証された利用者識別情報と前記ＯＣＲ文字データを受け付けるＯＣＲ受付ステップと、を含んだ手順でなされることを特徴とする２次元コードを備えたＯＣＲ帳票入力方法である。
【０００９】
請求項３の発明は、コンピュータに組込むことによって、コンピュータを、請求項１に記載のＯＣＲ帳票入力システムとして動作させるコンピュータプログラムである。
【００１０】
請求項４の発明は、請求項３に記載のコンピュータプログラムを記録したコンピュータ読取り可能な記録媒体である。
【発明の効果】
【００１１】
本願発明によれば、顧客の個人情報（顧客氏名や顧客番号）を２次元コード化することで、情報漏洩を防止することができる。また、情報を送信する宛先の情報は、２次元コードを復号することで得られるので、これを用いることによって、誤ったあて先に情報を送信することを防ぐことが可能である。
【発明を実施するための最良の形態】
【００１２】
（実施例）
以下、図面等を参照しながら、本発明の実施の形態について、更に詳しく説明する。図１は、２次元コードを備えたＯＣＲ帳票入力システムの概要を説明する図である。２次元コードを備えたＯＣＲ帳票入力システム１は、２次元コードとＯＣＲ欄とを有する印刷媒体を用いて、カメラを備える利用者携帯端末装置１００とＯＣＲ受付サーバ装置３００とがネットワークで接続されて構成される。
【００１３】
利用者携帯端末装置１００は、所在情報１９７と、ＯＣＲ画像データ１９９と、と、を記憶する。
【００１４】
ＯＣＲ受付サーバ装置３００は、ＯＣＲ画像データ１９９と、対応表３９１と、ＯＣＲ文字データ３９３と、を記憶する。
【００１５】
印刷媒体５００は、２次元コード５１０と、ＯＣＲ記入欄５２０と、を保有する。
【００１６】
図２は、２次元コードを備えたＯＣＲ帳票入力システム１の大まかな処理の流れを説明する。利用者携帯端末装置１００は、印刷媒体の２次元コード５１０を撮像して、 接続許可識別情報(たとえば、接続許可ＩＤ）を含む所在情報１９７（たとえば、申込ＵＲＬ）を復号する（図２（ア））。
利用者携帯端末装置１００は、復号した申込ＵＲＬに、端末装置の識別情報（たとえば、携帯電話番号）を付加した申込ＵＲＬ１９７を作成する（同（イ））。
【００１７】
利用者携帯端末装置１００は、作成した申込ＵＲＬ１９７を送信する（同（ウ））。
【００１８】
ＯＣＲ受付サーバ装置 ３００は、申込ＵＲＬ１９７を受信する（同（カ））。ＯＣＲ受付サーバ装置 ３００は、申込ＵＲＬ１９７に含まれる接続許可ＩＤと携帯電話番号を取得して、対応表３９１を参照して、これに対応する利用者識別情報(たとえば、利用者ＩＤ）を選択する（同（キ））。
【００１９】
利用者携帯端末装置１００は、印刷媒体のＯＣＲ欄５２０（たとえば、商品申込記入欄）を撮像して、ＯＣＲ画像データ１９９を作成する（同（サ））。利用者携帯端末装置１００は、ＯＣＲ画像データ１９９を送信する（同（シ））。
【００２０】
ＯＣＲ受付サーバ装置 ３００は、ＯＣＲ画像データ１９９を受信する（同（タ））。 ＯＣＲ受付サーバ装置 ３００は、ＯＣＲ画像データ１９９を文字認識して、ＯＣＲ文字データ３９３を作成する（同（チ））。
【００２１】
ＯＣＲ受付サーバ装置 ３００は、選択した利用者ＩＤとＯＣＲ文字データ３９３を受け付ける（同（ナ））。
【００２２】
ＯＣＲ受付サーバ装置 ３００は、受け付けた利用者ＩＤとＯＣＲ文字データ３９３を用いて、所定の処理（たとえば、商品申込の受付処理）を行う（同（ハ））。
【００２３】
このように、ＯＣＲ画像を送信する宛先を、２次元コードを復号して得ることにより、送信者がテンキー操作して送信先の情報を入力することと比較して、誤りが皆無になるという利点がある。
【００２４】
なお、すべての２次元コードは、利用者ＩＤと利用者の携帯電話番号に由来する接続許可ＩＤを含む。
【００２５】
図３は、２次元コードを備えたＯＣＲ帳票入力システム１の詳細な構成図である。２次元コードを備えたＯＣＲ帳票入力システム１は、２次元コードとＯＣＲ欄とを有する印刷媒体を用いて、カメラを備える利用者携帯端末装置１００とＯＣＲ受付サーバ装置３００とがネットワークで接続されて構成される。
【００２６】
利用者携帯端末装置１００は、撮像手段１１０と、２次元コード復号手段１２０と、端末装置情報付加手段１３０と、所在情報送信手段１４０と、ＯＣＲ画像作成手段１５０と、ＯＣＲ画像送信手段１６０と、記憶手段１９０と、を備える。記憶手段１９０は、所在情報１９７と、ＯＣＲ画像データ１９９と、を記憶する。
【００２７】
ＯＣＲ受付サーバ装置３００は、所在情報受信手段３４０と、利用者認証手段３１０と、ＯＣＲ画像受信手段３６０と文字認識手段３２０と、ＯＣＲ受付手段３３０と、記憶手段３９０と、を備える。記憶手段３９０は、対応表３９１を記憶する。
【００２８】
所在情報１９７は、利用者携帯端末装置の識別情報と接続許可識別情報とを含むデータである。ＯＣＲ画像データ１９９は、ビットマップデータである。対応表３９１は、接続許可識別情報と利用者携帯端末装置の識別情報とに利用者識別情報を対応付けた表データである。ＯＣＲ文字データ３９３は、文字コードデータである。
【００２９】
撮像手段１１０は、２次元コードを撮像して、２次元コード画像データを所定の記憶領域に保持する。また、撮像手段１１０は、印刷媒体５００のＯＣＲ欄を撮像して、帳票画像データを所定の記憶領域に保持する。２次元コード復号手段１２０は、所定の記憶領域に保持された２次元コード画像データを取得して、接続許可識別情報を含む所在情報１９７を復号する。端末装置情報付加手段１３０は、復号した所在情報１９７と、利用者携帯端末装置の識別情報と、から、情報付加した所在情報１９７を作成する。所在情報送信手段１４０は、情報付加した所在情報１９７を送信する。ＯＣＲ画像作成手段１５０は、前記所定の記憶領域に保持された帳票画像データを読み出して、ＯＣＲ画像データ１９９を作成する。ＯＣＲ画像送信手段１６０は、ＯＣＲ画像データ１９９を送信する。
【００３０】
所在情報受信手段３４０は、前記利用者携帯端末装置より送信された所在情報を受信する。利用者認証手段３１０は、前記受信した所在情報から、接続許可識別情報と利用者携帯端末装置の識別情報を取り出して、前記対応表３９１を参照して、これに対応する利用者識別情報を選択して認証する。ＯＣＲ画像受信手段３６０は、ＯＣＲ画像データ１９９を受信する。文字認識手段３２０は、ＯＣＲ画像データを文字認識して、ＯＣＲ文字データ３９３を作成する。ＯＣＲ受付手段３３０は、前記認証された利用者識別情報と前記ＯＣＲ文字データ３９３を受け付ける。
【００３１】
なお、ＯＣＲ受付サーバ装置３００は、受け付けた利用者識別情報とＯＣＲ文字データ３９３を用いて、所定の処理（たとえば、商品申込の受付処理）を行う。
【００３２】
２次元コード復号手段１２０と、端末装置情報付加手段１３０と、所在情報送信手段１４０と、ＯＣＲ画像作成手段１５０と、ＯＣＲ画像送信手段１６０と、所在情報受信手段３４０と、利用者認証手段３１０と、ＯＣＲ画像受信手段３６０と文字認識手段３２０と、ＯＣＲ受付手段３３０と、は、コンピュータプログラムである。撮像手段１１０は、ＣＣＤである。記憶手段１９０と、記憶手段３９０と、は、メモリである。所在情報１９７と、ＯＣＲ画像データ１９９と、ＯＣＲ文字データ３９３と、は、コンピュータプログラムが可読なデータである。
【００３３】
図４は、所在情報１９７の構造と記述例である。所在情報１９７の項目は、通信手順名とドメイン名と認証情報とから構成される。接続記号とは、プロトコルの名称である。ドメイン名とは、ＷＥＢサーバ装置の名称である。認証情報とは、接続許可識別情報と利用者携帯端末装置の識別情報とを含む情報である。たとえば、認証情報を渡すＣＧＩ名称と、ＣＧＩの引数とを記述する。その引数に、接続許可識別情報と利用者携帯端末装置の識別情報とを記載する。
【００３４】
図４には、所在情報１９７として、「通信手順名＝ http://」、「ドメイン名＝ www.dnp-credit.co.jp/ 」、「ＣＧＩ記述と引数＝ apl#url.cgi id = xxxxxxx no = 090 ？ 1234 - 5678 」、が例示されている。
【００３５】
図５は、対応表３９１の構造と記述例である。対応表３９１の項目は、利用者ＩＤと登録された携帯番号と接続許可ＩＤとから構成される。利用者ＩＤとは、利用者式熱情報であって、ユニークな文字列である。登録された携帯番号とは、利用者携帯端末装置の識別情報であって、ユニークな数字列である。接続許可ＩＤとは、接続許可識別情報であって、ユニークな文字列である。
【００３６】
ここで、接続許可ＩＤは、次の算出式によって、求められる値である。
「接続許可ＩＤ」＝「利用者ＩＤ」×「携帯番号」×「暗号化キー」
「暗号化キー」とは、任意の文字列である。なお、文字列の乗算は、文字コードの値を用いる。
【００３７】
図５には、対応表の表データとして、「利用者ＩＤ＝Dnpuser」、「登録された携帯番号＝090-1234-5678」、「接続許可ＩＤ＝xxxxxxx」が例示されている。
【００３８】
図６は、２次元コードとＯＣＲ記入欄を備えた印刷媒体５００の例である。クレジットカードの明細書を例示して説明する。申込書のすべての２次元コードは、利用者ＩＤと利用者の携帯電話番号に由来する接続許可ＩＤを含む。
【００３９】
１ページ目５００ａには、利用者情報（氏名、住所など）と、利用明細と、が印刷されている。その他に、幾つかの２次元コード（たとえば、問合せ用と、キャンペーン申込用）が、印刷されている。２ページ目５００ｂには、ポイントの累計情報と、通販申込のためのＯＣＲ記入欄５２０と幾つかの２次元コードとが印刷されている。
【００４０】
ここで、ＯＣＲ欄５２０は、３個の２次元コード５１０ａ／ｂ／ｃを備える。携帯端末装置１００のカメラの視野の隅に、３個の２次元コードを捕らえて、ＯＣＲ欄５２０ を撮影することで、正確な画角のＯＣＲ画像データを作成することができる。つまり、カメラが、２次元コード５１０ａと２次元コード５１０ｂとを視野の対角位置の角に収めて、さらに、これに加えて、２次元コード５１０ｃを視野の角に収めることにより、印刷媒体５００に正対させることができる。また、２次元コード５１０ａと２次元コード５１０ｃがカメラ視野の角に収められているので、ＯＣＲ欄５２０は傾くことなく撮影されている。これらのことにより、ＯＣＲ欄５２０に記入されている文字は、高いＯＣＲ認識精度の結果が得られる。
【００４１】
なお、ＯＣＲ記入欄のあるページでは、二次元コードの利用者情報（＝個人情報）のみが記述されていて、平文での利用者情報は記載されない。そこで、利用者の個人情報がＯＣＲ画像から漏洩することはない。
【００４２】
図７は、認証の処理手順を説明する図である。明細書の２次元コード５１０を撮影して、接続許可ＩＤを含む情報「http://www.dnp-credit.co.jp/apl#url.cgi id=xxxxxxx 」を復号する（図７（１））。
【００４３】
これに、利用者の携帯電話番号「090-1234-5678」を加えて、申込ＵＲＬ１９７「http://www.dnp-credit.co.jp / apl#url.cgi id = xxxxxxx  no = 090-1234-5678 」を作成する（同（２））。
【００４４】
申込ＵＲＬ１９７の電話番号と接続許可ＩＤに対応する利用者ＩＤを、対応表３９１から選択して、認証する（同（３）。
【００４５】
このように、利用者が予め登録した携帯電話１００からの申し込みのみを、受け付ける。たとえ、拾った申込書を用いて、他人が未登録の携帯電話１００から申し込みをしても、認証されない。
【００４６】
以上詳しく説明したように、本願発明によれば、顧客の個人情報（顧客氏名や顧客番号）を２次元コード化することで、情報漏洩を防止することができた。また、情報を送信する宛先の情報は、２次元コードを復号することで得られるので、これを用いることによって、誤ったあて先に情報を送信することを防ぐことができた。
【図面の簡単な説明】
【００４７】
【図１】２次元コードを備えたＯＣＲ帳票入力システムの概要を説明する図
【図２】２次元コードを備えたＯＣＲ帳票入力システムの大まかな処理の流れを説明する図
【図３】２次元コードを備えたＯＣＲ帳票入力システムの詳細な構成図
【図４】所在情報１９７の構造と記述例
【図５】対応表３９１の構造と記述例
【図６】２次元コードとＯＣＲ記入欄を備えた印刷媒体の例
【図７】認証の処理手順を説明する図
【符号の説明】
【００４８】
１  ２次元コードを備えたＯＣＲ帳票入力システム
１００  カメラを備える利用者携帯端末装置
１１０  撮像手段
１２０  ２次元コード復号手段
１３０  端末装置情報付加手段
１４０  所在情報送信手段
１５０  ＯＣＲ画像作成手段
１６０  ＯＣＲ画像送信手段
１９０  記憶手段、所在情報
１９７  申込ＵＲＬ
１９９  ＯＣＲ画像データ
３００  ＯＣＲ受付サーバ装置
３１０  利用者認証手段
３２０  文字認識手段
３３０  ＣＲ受付手段
３４０  所在情報受信手段
３６０  ＯＣＲ画像受信手段
３９０  記憶手段
３９１  対応表
３９３  ＯＣＲ文字データ
５００  ２次元コードとＯＣＲ記入欄を備えた印刷媒体
５１０  ２次元コード
５１０ａ、５１０ｂ、５１０ｃ  ２次元コード
【図１】
2007282074.tif 000003
【図２】
2007282074.tif 000004
【図３】
2007282074.tif 000005
【図４】
2007282074.tif 000006
【図５】
2007282074.tif 000007
【図６】
2007282074.tif 000008
【図７】
2007282074.tif 000009